(57)【特許請求の範囲】
【請求項１】
作業台上方の作業空間に清浄空気が供給される構成を備えた清浄作業台装置であって、
上記作業台が、作業台面内における前面側の第１の位置に第１の空気吸込み口を、また、両側面側の第２の位置に第２の空気吸込み口を有し、
上記作業空間の側方側の位置であって、上記第１の位置に対応した位置に該作業空間と外部とを結ぶ第１の開口部が形成され、上記第２の位置に対応した位置に第２の開口部が形成され、
上記第１の空気吸込み口と上記第１の開口部との組合わせと、上記第２の空気吸込み口と上記第２の開口部との組合わせにより、上記作業空間と外部との間にエアカーテン気流を形成する構成としたことを特徴とする清浄作業台装置。
【請求項２】
作業台上方の作業空間に清浄空気が供給される構成を備えた清浄作業台装置であって、
作業台面の前面側と両側面側とにそれぞれ空気吸込み口を有する作業台と、
空気を送る送風機と、
該送風機から出た空気を清浄化するフィルタと、
上記空気吸込み口から吸込んだ空気を上記送風手段側に還流させる循環部と、
上記作業空間の側方側に配され上記各空気吸込み口に対応した前面側の位置と両側面側の位置とにそれぞれ、該作業空間と外部とを結ぶ開口部を形成する部材と、
を備え、上記各空気吸込み口と上記開口部とにより上記作業空間と外部との間にエアカーテン気流を形成した状態で、上記フィルタから該作業空間に清浄空気を供給する構成を特徴とする清浄作業台装置。
【請求項３】
作業台上方の作業空間に清浄空気が供給される構成を備えた清浄作業台装置であって、
作業台面の前面側と両側面側とにそれぞれ空気吸込み口を有する作業台と、
空気を送る送風機と、
該送風機から出た空気を清浄化するフィルタと、
上記空気吸込み口から吸込んだ空気を上記送風手段側に還流させる循環部と、
上記作業空間の側方側に配され上記各空気吸込み口に対応した前面側の位置と両側面側の位置とにそれぞれ、該作業空間と外部とを結ぶ開口部を形成する第１の部材と、
上記作業台面の両側面側の上記空気吸込み口と該空気吸込み口に対応した上記両側面側の位置の開口部とのいずれか一方または両方を塞ぐ構成を有し、着脱、移動または変位可能な第２の部材と、
を備え、上記作業台面の両側面側の上記空気吸込み口とこれに対応した上記両側面側の位置の上記開口部とのいずれか一方または両方を塞ぎ、少なくとも、上記作業台面の前面側の上記空気吸込み口とこれに対応した上記前面側の位置の上記開口部とにより上記作業空間と外部との間にエアカーテン気流を形成し、上記フィルタから該作業空間に清浄空気を供給する構成を特徴とする清浄作業台装置。
【請求項４】
上記第２の部材は、上記開口部を塞ぐ第１の部分と上記空気吸込み口を塞ぐ第２の部分とを備え、該第１、第２の部分が連動する構成である請求項３に記載の清浄作業台装置。
【請求項５】
上記第２の部材は、上記第１の部分と上記第２の部分とを互いに異なる位置に備えた一体状の構成である請求項４に記載の清浄作業台装置。
【請求項６】
上記第２の部材は、支点周りに回動可能な構成である請求項３に記載の清浄作業台装置。
【発明の詳細な説明】
【０００１】
【発明に属する技術分野】
本発明は、医療、製薬関連等の分野で用いる実験用動物の飼育設備に対し点検、清掃等の作業を行う清浄作業台装置に関する。
【０００２】
【従来の技術】
従来、遺伝子操作などのバイオハザード（生物的感染）対策用の清浄作業台装置では、作業空間に作業者の手が入るように前面側に開口部が設けられている。該開口部の下部に位置する作業台面には、空気を吸込むための空気吸込み口が設けられ、該開口部にエアカーテン気流を形成するようになっている。該エアカーテン気流は、作業者が細菌等に感染するのを防止したり、作業台内の実験対象物を装置外部の細菌や塵埃などから保護したりする。図５に、従来の清浄作業台装置の構成例を示す。清浄作業台装置１'の内部の送風機４'により送られる気流は、ＨＥＰＡフィルタ（Ｈｉｇｈ  Ｅｆｆｉｃｉｅｎｃｙ  Ｐａｒｔｉｃｕｌａｔｅ  Ａｉｒ  Ｆｉｌｔｅｒ）５ａ'を通して作業空間１８'に送られる。ＨＥＰＡフィルタ５ａ'では空気中の塵埃が除去されるため、作業空間１８'内には清浄化された空気１６'が送られる。また、作業空間１８'に隣接して循環流路３'が形成されている。該循環流路３'は、作業空間１８'に構成された空気流出口８'、及び、作業空間１８'下部の作業台２'の作業台面の前面側に構成された空気吸込み口７'と連結され、該空気流出口８'と該空気吸込み口７'とから空気を吸込んで循環させている。特に、空気吸込み口と、作業空間１８'前面の前面シャッタ６'の下部の開口部とにより、エアカーテン気流１４'が該開口部とその近傍に形成され、作業者の細菌感染や、作業空間内への外部細菌の混入等が防止されるようになっている。空気吸込み口７'、空気流出口８'から循環流路３'に吸込まれた気流は、循環流路３'を通って送風機４'へ吸込まれる。送風機４'へ吸込まれた空気は、一部は作業空間側の配置したＨＥＰＡフィルタ５ａ'を通って再び作業空間１８'に供給され、他は別のＨＥＰＡフィルタ５ｂ'を通って装置外部へ排出される。該清浄作業台装置を、例えば実験動物飼育用ケージの清掃・点検用に用いる場合、該動物飼育用ケージの作業空間１８'内への搬入は、前面シャッタ６'を開き、開口部を拡大した状態にして該開口部から搬入する。搬入後は、感染防止のために再び、上記前面シャッタ６'を閉じて所定の大きさの開口部としエアカーテン気流１４'を形成した状態で、作業空間１８'に清浄空気を供給し、該飼育用ケージの点検・清掃の作業を行う。エアカーテン気流については例えば、特開平７−１０３５３２号公報に記載された技術がある。該公報には、作業台開口部の開口寸法を規制することで、エアカーテン気流の速度を管理する技術が記載されている。
【０００３】
【発明が解決しようとする課題】
上記従来構成においては、例えば上記動物飼育用ケージの作業空間１８'内への搬入と搬出を、前面シャッタ６'を開閉することで清浄作業台装置１'の前面側において行うため、該動物飼育用ケージの搬入・搬出時の作業性が悪く、かつ、作業台面の前面側、すなわち作業者の側に細菌等が付着し易く、作業者が細菌等に感染し易い。
本発明の課題点は、上記従来技術の状況に鑑み、清浄作業台装置において、動物飼育用ケージ等点検・清掃作業の対象物の搬入・搬出を作業性が良い状態で行うことができ、かつ、外部に細菌、ウィルス等が漏れたり、外部から細菌、ウィルス、塵埃等が作業空間内に浸入したりせず安全な作業ができるようにすること、である。
本発明の目的は、かかる課題点を解決できる技術の提供にある。
【０００４】
【課題を解決するための手段】
上記課題点を解決するために、本発明では、基本的には、清浄作業台装置において、作業台上方の作業空間（該当実施例：符号１８）と外部とを結ぶ開口部を、作業台の前面側の空気吸込み口（該当実施例：符７）と両側面側の空気吸込み口（該当実施例：符号９ａ、９ｂ）とに対応させて設け、該開口部位置において、エアカーテン気流（該当実施例：符号１４、１４ａ、１４ｂ）を形成した状態で、該作業空間に清浄空気を供給する構成とする。具体的には、作業台上方の作業空間に清浄空気が供給される構成を備えた清浄作業台装置として、（１）上記作業台（該当実施例：符号２）が、作業台面内における前面側の第１の位置に第１の空気吸込み口（該当実施例：符号７）を、また、両側面側の第２の位置に第２の空気吸込み口（該当実施例：符号９ａ、９ｂ）を有し、上記作業空間（該当実施例：符号１８）の側方側の位置であって、上記第１の位置に対応した位置に該作業空間と外部とを結ぶ第１の開口部（該当実施例：符号１１）が形成され、上記第２の位置に対応した位置に第２の開口部（該当実施例：符号１１ａ、１１ｂ）が形成され、上記第１の空気吸込み口（該当実施例：符号７）と上記第１の開口部（該当実施例：符号１１）との組合わせと、上記第２の空気吸込み口（該当実施例：符号９ａ、９ｂ）と上記第２の開口部（該当実施例：符号１１ａ、１１ｂ）との組合わせにより、上記作業空間と外部との間にエアカーテン気流（該当実施例：符号１１、１４ａ、１４ｂ）を形成する構成とする。（２）作業台面（該当実施例：符号２ａ）の前面側と両側面側とにそれぞれ空気吸込み口（該当実施例：符号７、９ａ、９ｂ）を有する作業台（該当実施例：符号２）と、空気を送る送風機（該当実施例：符号４）と、該送風機から出た空気を清浄化するフィルタ（該当実施例：符号５ａ）と、上記空気吸込み口から吸込んだ空気を上記送風手段側に還流させる循環部（該当実施例：符号３）と、上記作業空間の側方側に配され上記各空気吸込み口に対応した前面側の位置と両側面側の位置とにそれぞれ、該作業空間と外部とを結ぶ開口部を形成する部材（該当実施例：符号２０）とを備え、上記各空気吸込み口と上記開口部とにより上記作業空間と外部との間にエアカーテン気流（該当実施例：符号１１、１４ａ、１４ｂ）を形成した状態で、上記フィルタから該作業空間に清浄空気（該当実施例：符号１６）を供給する構成とする。（３）作業台面の前面側と両側面側とにそれぞれ空気吸込み口（該当実施例：符号７、９ａ、９ｂ）を有する作業台と、空気を送る送風機（該当実施例：符号４）と、該送風機から出た空気を清浄化するフィルタ（該当実施例：符号５ａ）と、上記空気吸込み口から吸込んだ空気を上記送風手段側に還流させる循環部（該当実施例：符号３）と、上記作業空間の側方側に配され上記各空気吸込み口に対応した前面側の位置と両側面側の位置とにそれぞれ、該作業空間と外部とを結ぶ開口部を形成する第１の部材（該当実施例：符号２０）と、上記作業台面の両側面側の上記空気吸込み口と該空気吸込み口に対応した上記両側面側の位置の開口部とのいずれか一方または両方を塞ぐ構成を有し、着脱、移動または変位可能な第２の部材（該当実施例：符号１２ａ、１２ｂ、３１ａ、３２ａ）とを備え、上記作業台面の両側面側の上記空気吸込み口とこれに対応した上記両側面側の位置の上記開口部とのいずれか一方または両方を塞ぎ、少なくとも、上記作業台面の前面側の上記空気吸込み口とこれに対応した上記前面側の位置の上記開口部とにより上記作業空間と外部との間にエアカーテン気流を形成し、上記フィルタから該作業空間に清浄空気を供給する構成とする。（４）上記（３）において、上記第２の部材（該当実施例：符号１２ａ）は、上記開口部を塞ぐ第１の部分（該当実施例：符号１２ａ１、３１ａ）と上記空気吸込み口を塞ぐ第２の部分（該当実施例：符号１２ａ２、３２ａ）とを備え、該両部分が連動する構成とする。（５）上記（４）において、上記第２の部材は、上記第１の部分（該当実施例：符号１２ａ１）と上記第２の部分（該当実施例：符号１２ａ２）とを互いに異なる位置に備えた一体状の構成とする。（６）上記（３）において、上記第２の部材は、支点周りに回動可能な構成とする。
【０００５】
【発明の実施の形態】
以下、本発明の実施例につき、図面を用いて説明する。
図１、図２は本発明の第１の実施例の説明図である。図１は清浄作業台装置の全体構成例で、（ａ）は側面方向断面図、（ｂ）は前面側外観図、図２は作業台の平面図である。
図１、図２において、１は清浄作業台装置、２は作業台、３は循環流路、４は送風機、５ａ、５ｂはＨＥＰＡフィルタ（Ｈｉｇｈ  Ｅｆｆｉｃｉｅｎｃｙ  Ｐａｒｔｉｃｕｌａｔｅ  Ａｉｒ  Ｆｉｌｔｅｒ）、６は前面シャッタ、７は、作業台２の作業台面内の前面側に設けられた第１の空気吸込み口、９ａ、９ｂは、作業台２の作業台面内の側面側に設けられた第２の空気吸込み口、８は、装置の背面側に設けられた空気流出口、１８は作業空間、１１は、前面シャッタ６の下方にあって上記作業台２の作業台面内の前面側の上記第１の空気吸込み口７に対応する位置に設けられた第１の開口部、１１ａ、１１ｂは、動物飼育用ケージ等点検・清掃作業の対象物を作業空間に搬入・搬出するために装置の側面側位置、すなわち作業空間の側方側の位置であって上記空気吸込み口９ａ、９ｂに対応する位置に設けられた第２の開口部、１４は、上記第１の開口部１１と上記第１の空気吸込み口７により形成されるエアカーテン気流、１４ａ、１４ｂはそれぞれ、上記第２の開口部１１ａと上記第２の空気吸込み口９ａにより形成されるエアカーテン気流、上記第２の開口部１１ｂと上記第２の空気吸込み口９ｂにより形成されるエアカーテン気流である。２０は、作業空間１８の側方側に配され上記空気流出口８と上記第２の開口部１１ａ、１１ｂが設けられた部材である。かかる構成において、第２の開口部１１ａまたは１１ｂから動物飼育用ケージ等点検・清掃作業の対象物を作業空間に搬入・搬出して作業台上に設置した状態で、送風機４から出る空気をＨＥＰＡフィルタ５ａで清浄化して清浄空気とし、該清浄空気１６を作業空間１８に供給する。作業空間１８内では、該清浄空気１６により動物飼育用ケージ等の清掃等がなされる。清浄空気１６の流動に基づき、第１の開口部１１とその近傍では、作業台２の作業台面内の前面側に設けられた第１の空気吸込み口７と該第１の開口部１１とにより、エアカーテン気流１４が形成され、第２の開口部１１ａ、１１ｂとその近傍では、作業台２の作業台面内の側面側に設けられた第２の空気吸込み口９ａ、９ｂと該第２の開口部１１ａ、１１ｂとにより、エアカーテン気流１４ａ、１４ｂが形成される。エアカーテン気流１４は、第１の開口部１１を通って細菌等が、作業空間１８から装置外部に漏れて作業者が感染したり、装置外部の細菌や塵埃等が作業空間１８内に浸入したりするのを防ぐ。また、エアカーテン気流１４ａ、１４ｂは、少なくとも作業空間１８内から装置外部への空気の流れを抑えるため、第２の開口部１１ａ、１１ｂを通って細菌等が、作業空間１８から装置外部に漏れたり、逆に、装置外部の細菌や塵埃等が作業空間１８内に浸入したりするのを防ぐ。作業空間１８内を流れた空気は、作業台２の第１の空気吸込み口７、第２の空気吸込み口９ａ、９ｂに吸込まれる。吸込まれた空気は、循環流路３内を流れて再び送風機４に吸込まれる。送風機４に吸込まれた空気は、一部はＨＥＰＡフィルタ５ａを通って再び作業空間１８に供給され、残りはＨＥＰＡフィルタ５ｂを通って装置外に排気される。動物飼育用ケージ等は点検・清掃作業後、第２の開口部１１ａまたは１１ｂから外部に搬出される。
上記第１の実施例によれば、第２の開口部１１ａ、１１ｂから、動物飼育用ケージ等を作業空間１８に対し搬入または搬出するため、該搬入または搬出の作業性を改善できる。また、第１の開口部１１、第２の開口部１１ａ、１１ｂにそれぞれ、エアカーテン気流１４、１４ａ、１４ｂが形成されるため、装置外部に細菌等が漏れたり、逆に外部から細菌や塵埃等が作業空間１８内に浸入したりすることが抑えられ、安全な作業が可能となる。
【０００６】
図３は、本発明の第２の実施例の説明図である。図３（ａ）は清浄作業台装置の作業空間の周囲の構成を装置前面側から見た断面図、図３（ｂ）は、図３（ａ）におけるＡ部の拡大図である。
本実施例は、作業台面の側面側の空気吸込み口と該空気吸込み口に対応した開口部の両方を塞ぐ部材を備えた構成例である。
図３において、２は作業台、５ａはＨＥＰＡフィルタ、９ａ、９ｂは、作業台２の作業台面内の側面側に設けられた第２の空気吸込み口（作業台２の作業台面内の前面側には第１の空気吸込み口が設けられているとする）、１０は、動物飼育用ケージ等点検・清掃作業の対象物、１８は作業空間、１１は、作業台２の作業台面内の前面側の上記第１の空気吸込み口に対応する位置に設けられた第１の開口部、１１ａ、１１ｂは、動物飼育用ケージ等点検・清掃作業の対象物１０を作業空間１８に対し搬入・搬出するために装置の側面側位置、すなわち作業空間１８の側方側の位置であって上記空気吸込み口９ａ、９ｂに対応する位置に設けられた第２の開口部、１２ａは上記第２の開口部１１ａ及び上記第２の空気吸込み口９ａを塞ぐための部材、１２ｂは上記第２の開口部１１ｂ及び上記第２の空気吸込み口９ｂを塞ぐための部材、１４ａは、部材１２ａが装置に装着されない場合に上記第２の開口部１１ａと上記第２の空気吸込み口９ａにより形成されるエアカーテン気流、１４ｂは、部材１２ｂが装置に装着されない場合に上記第２の開口部１１ｂと上記第２の空気吸込み口９ｂにより形成されるエアカーテン気流である。本実施例では、上記部材１２ａ、１２ｂはそれぞれ、Ｌ字状断面を有し、装置に対し移動または着脱可能な構成を備える。動物飼育用ケージ等点検・清掃作業の対象物１０の作業空間１８内への搬入後、部材１２ａは、（ｂ）のように装置に装着され、第２の開口部１１ａと第２の空気吸込み口９ａを塞ぐ。部材１２ｂも、これと同様、装置に装着されて、第２の開口部１１ｂと第２の空気吸込み口９ｂを塞ぐ。部材１２ａにはＬ字状を形成する１２ａ１、１２ａ２の部分が一体状に設けられている。部分１２ａ１は第２の開口部１１ａを塞ぎ、部分１２ａ２は第２の空気吸込み口９ａを塞ぐ。また、部材１２ｂにはＬ字状を形成する１２ｂ１、１２ｂ２の部分が一体状に設けられている。部分１２ｂ１は第２の開口部１１ｂを塞ぎ、部分１２ｂ２は第２の空気吸込み口９ｂを塞ぐ。このように、部材１２ａが第２の開口部１１ａと第２の空気吸込み口９ａを塞ぎ、部材１２ｂが、第２の開口部１１ｂと第２の空気吸込み口９ｂを塞ぐことにより、上記エアカーテン気流１４ａ、１４ｂは形成されず、作業空間１８内での清浄空気は、該作業空間１８の中央部から第１の空気吸込み口７の領域にかけての流路を主流路として流動する。上記第１の開口部側には、部材１２ａ、１２ｂの装着の有無に関係なく、該第１の開口部と上記第１の空気吸込み口とによりエアカーテン気流が形成されるようになっている。２０は、作業空間１８の側方側に配され、少なくとも上記第２の開口部１１ａ、１１ｂが設けられた部材である。かかる構成において、第２の開口部１１ａまたは１１ｂから動物飼育用ケージ等点検・清掃作業の対象物を作業空間に搬入・搬出して作業台上に設置した後、部材１２ａ、１２ｂを装置に装着し、第２の開口部１１ａ、第２の空気吸込み口９ａ、第２の開口部１１ｂ及び第２の空気吸込み口９ｂを塞ぐ。該状態で、送風機（図示なし）から出る空気をＨＥＰＡフィルタ５ａで清浄化して清浄空気とし、該清浄空気を作業空間１８内に供給する。作業空間１８内では、該清浄空気により動物飼育用ケージ等の清掃等がなされる。清浄空気の流動に基づき、第１の開口部１１とその近傍では、作業台２の作業台面内の前面側に設けられた第１の空気吸込み口と該第１の開口部１１とにより、エアカーテン気流１４が形成される。エアカーテン気流１４は、第１の開口部１１を通って細菌等が、作業空間１８から装置外部に漏れて作業者が感染したり、装置外部の細菌等が作業空間１８内に浸入したりするのを防ぐ。作業空間１８内を流れた空気は、作業台２の第１の空気吸込み口に吸込まれる。吸込まれた空気は、循環流路３内を流れて再び送風機に吸込まれる。送風機に吸込まれた空気は、一部はＨＥＰＡフィルタ５ａを通って再び作業空間１８に供給され、残りは他のＨＥＰＡフィルタ（図示なし）を通って装置外に排気される。点検・清掃作業後、部材１２ａ、１２ｂの装着状態を解いて、動物飼育用ケージ等点検・清掃作業の対象物１０を、第２の開口部１１ａまたは１１ｂから装置外部に搬出する。
上記第２の実施例によれば、上記第１の実施例の場合と同様、第２の開口部１１ａ、１１ｂから、動物飼育用ケージ等を作業空間に搬入または搬出するため、搬入または搬出の作業性を改善できる。また、点検・清掃作業時は、第２の開口部１１ａ、１１ｂ及び第２の空気吸込み口９ａ、９ｂを塞いだ状態にするため、該第２の開口部１１ａ、１１ｂを通って、細菌等が装置外部に漏れたり、装置外部から細菌等が装置内に浸入したりするのが抑えられるとともに、作業空間１８内における空気の流動を、淀みや、局部的な流速低下のない状態にすることができるため、清掃効率を高めることが可能となる。このため、衛生上安全なかつ能率の良い作業を行うことができる。
なお、上記第２の実施例構成では、第２の開口部１１ａと第２の空気吸込み口９ａ、及び、第２の開口部１１ｂと第２の空気吸込み口９ｂを塞ぐ構成としたが、第２の開口部１１ａ、第２の空気吸込み口９ａのいずれか一方と、第２の開口部１１ｂ、第２の空気吸込み口９ｂのいずれか一方とを塞ぐ構成としてもよいし、第２の開口部１１ａと第２の空気吸込み口９ａ、または、第２の開口部１１ｂと第２の空気吸込み口９ｂのいずれか一方を塞ぐ構成としてもよいし、第２の開口部１１ａ、第２の空気吸込み口９ａ、第２の開口部１１ｂ、第２の空気吸込み口９ｂのいずれかを塞ぐ構成としてもよい。
【０００７】
図４は本発明の第３の実施例の説明図である。図４は、作業台面の側面側の空気吸込み口に対応した開口部の周辺構成を示す。
本実施例も、上記第２の実施例と同様、作業台面の側面側の空気吸込み口と該空気吸込み口に対応した開口部の両方を塞ぐ場合の構成例である。本第３の実施例は、作業台面の側面側の空気吸込み口を塞ぐ部材と、該空気吸込み口に対応した開口部を塞ぐ部材とを、固定支点の周りに回動変位する構成のものとした場合の例である。
図４において、２は作業台、９ａは、作業台２の作業台面内の一方の側面側に設けられた第２の空気吸込み口（作業台２の作業台面内の他方の側面側にはもう１つの第２の空気吸込み口が設けられ、作業台２の作業台面内の前面側には第１の空気吸込み口が設けられているとする）、１８は作業空間、１１ａは、動物飼育用ケージ等点検・清掃作業の対象物（図示なし）を作業空間１８に対し搬入・搬出するために装置の側面側位置、すなわち作業空間１８の側方側の位置であって上記空気吸込み口９ａに対応する位置に設けられた第２の開口部（作業台２の作業台面内の他方の側面側の上記もう１つの第２の空気吸込み口に対応する位置には、もう１つの第２の開口部が設けられているとする）、３１ａは、回動変位により上記第２の開口部１１ａを塞いだり開放したりする部材、３３ａは、部材３１ａが回動変位するときの支点、３２ａは、回動変位により上記第２の空気吸込み口９ａを塞いだり開放したりする部材、３４ａは、部材３２ａが回動変位するときの支点、４０は部材３１ａの位置決め用のストッパ、４１は部材３２ａの位置決め用のストッパである。部材３１ａと部材３２ａは連動的に回動変位動作されるようになっているものとする。作業台２の作業台面内の他方の側面側に設けられたもう１つの第２の空気吸込み口、及び、それに対応して設けられたもう１つの第２の開口部についても同様である。動物飼育用ケージ等点検・清掃作業の対象物（図示なし）を作業空間１８に対し搬入したり、搬出したりするときには、第２の開口部１１ａ他を開放状態にして該第２の開口部から該搬入作業を行い、搬入作業後は、部材３１ａ、３２ａ他を連動的に回動変位させて、第２の開口部１１ａ他及び第２の吸込み口９ａ他を塞ぐ。本第３の実施例における他の部分の構成及び作用は、上記第２の実施例の場合と同様である。このように、部材３１ａ、３２ａ他が第２の開口部と第２の空気吸込み口を塞ぐことにより、第２の開口部とその近傍には上記エアカーテン気流は形成されず、作業空間１８内での清浄空気は、該作業空間１８の中央部から第１の空気吸込み口の領域にかけての流路を主流路として流動する。作業台面の前面側の上記第１の開口部側には、部材３１ａ他、３２ａ他の回動位置に関係なく、該第１の開口部と上記第１の空気吸込み口とにより、エアカーテン気流が形成される。本第３の実施例における他の部分の構成及び作用は、上記第２の実施例の場合と同様である。かかる構成において、第２の開口部から動物飼育用ケージ等点検・清掃作業の対象物を作業空間に搬入・搬出して作業台上に設置した後、部材３１ａ、３２ａを回動変位させて、第２の開口部１１ａ他、第２の空気吸込み口９ａ他を塞ぐ。該状態で、送風機（図示なし）から出る空気をＨＥＰＡフィルタ（図示なし）で清浄化して清浄空気とし、該清浄空気を作業空間１８内に供給する。作業空間１８内では、該清浄空気の供給された環境内で作業がなされる。清浄空気の流動に基づき、第１の開口部とその近傍では、作業台２の作業台面内の前面側に設けられた第１の空気吸込み口と該第１の開口部１１とにより、エアカーテン気流が形成される。該形成されたエアカーテン気流は、第１の開口部を通って細菌等が、作業空間１８から装置外部に漏れて作業者が感染したり、装置外部の細菌等が作業空間１８内に浸入したりするのを防ぐ。作業空間１８内を流れた空気は、作業台２の第１の空気吸込み口に吸込まれる。吸込まれた空気は、循環流路３内を流れて再び送風機に吸込まれる。送風機に吸込まれた空気は、一部はＨＥＰＡフィルタを通って再び作業空間１８に供給され、残りは他のＨＥＰＡフィルタ（図示なし）を通って装置外に排気される。点検・清掃作業後、部材３１ａ他、３２ａ他を回動変位させ、第２の開口部及び第２の吸込み口を開放状態にして、動物飼育用ケージ等点検・清掃作業の対象物を、第２の開口部１１ａ他から装置外部に搬出する。
上記第３の実施例によれば、動物飼育用ケージ等を第２の開口部から作業空間に搬入または搬出する構成のため、搬入または搬出の作業性を改善できる。また、上記第２の実施例の場合と同様、点検・清掃作業時は、第２の開口及び第２の空気吸込み口を塞いだ状態にするため、該第２の開口部を通って、細菌等が装置外部に漏れたり、装置外部から細菌等が装置内に浸入したりするのが抑えられ感染を防止できるとともに、作業空間１８内における空気の流動を、淀みや、局部的な流速低下のない状態にすることができるため、清掃効率を高めることが可能となる。このため、衛生的で安全なかつ能率の良い作業を行うことができる。
なお、上記第３の実施例構成では、第２の開口部１１ａと第２の空気吸込み口９ａ、及び、もう一方の第２の開口部ともう一方の第２の空気吸込み口を塞ぐ構成としたが、第２の開口部１１ａと第２の空気吸込み口９ａ、または、もう一方の第２の開口部１１ｂともう一方の第２の空気吸込み口の、いずれか一方を塞ぐ構成としてもよいし、部材３１ａ、３２ａ等を連動させずに、第２の開口部１１ａ、第２の空気吸込み口９ａのいずれか一方と、もう一方の第２の開口部、もう一方の第２の空気吸込み口のいずれか一方とを塞ぐ構成としてもよいし、第２の開口部１１ａ、第２の空気吸込み口９ａ、もう一方の第２の開口部１１ｂ、もう一方の第２の空気吸込み口９ｂのいずれかを塞ぐ構成などとしてもよい。
【０００８】
また、上記各実施例構成では、第１、第２の開口部として、それぞれを１個の開口から成る構成としたが、本発明はこれに限定されず、それぞれの開口部または一部のものを、複数の開口から成る構成としてもよい。また、上記各実施例では、空気清浄化のために、ＨＥＰＡフィルタを用いる構成としたが、本発明はこれにも限定されず、例えばＵＬＰＡフィルタ（Ｕｌｔｒａ  Ｌｏｗ  Ｐｅｎｅｔｒａｔｉｏｎ  Ａｉｒ  Ｆｉｌｔｅｒ）等を用いてもよい。また、第２の開口部１１ａ、１１ｂ、第２の空気吸込み口９ａ、９ｂを塞ぐ構成としては、完全な閉鎖状態を形成するものだけに限らず、実用上支障ない程度であれば、空気が通過する空隙部がある構成であってもよい。
【０００９】
【発明の効果】
本発明によれば、衛生的で安全な作業が可能な清浄作業台装置を提供できる。点検・清掃作業対象物を、清浄作業台装置内に搬入または清浄作業台装置から搬出するときの作業性を改善できる。
【図面の簡単な説明】
【図１】本発明の第１の実施例を示す図である。
【図２】本発明の第１の実施例における作業台の平面図である。
【図３】本発明の第２の実施例を示す図である。
【図４】本発明の第３の実施例を示す図である。
【図５】従来の構成例を示す図である。
【符号の説明】
１、１'…清浄作業台装置、  ２、２'…作業台、  ２ａ…作業台面、  ３、３'…循環流路、  ４、４'…送風機、  ５ａ、５ｂ、５ａ'、５ｂ'…ＨＥＰＡフィルタ、  ６、６'…前面シャッタ、  ７…第１の空気吸込み口、  ８、８'…空気流出口、  ９ａ、９ｂ…第２の空気吸込み口、  １１…第１の開口部、  １１ａ、１１ｂ…第２の開口部、  １２ａ、１２ｂ、３１ａ、３２ａ…部材、  １４、１４ａ、１４ｂ、１４'…エアカーテン気流、  １６、１６'…清浄空気、  １８、１８'…作業空間。
【図１】
0004167850.tif 000002
【図２】
0004167850.tif 000003
【図３】
0004167850.tif 000004
【図４】
0004167850.tif 000005
【図５】
0004167850.tif 000006